(57)【特許請求の範囲】
【請求項１】
人為的に操作されるブレーキペダルと、走行用のブレーキとを備え、前記ブレーキペダルを踏み操作すると連係機構を介してブレーキが制動側に操作されるように構成し、
停止位置から高速側に操作自在な走行用の無段変速装置と、前記ブレーキペダルの操作位置を検出する操作位置センサーとを備え、
前記ブレーキペダルは、踏み操作解除位置及び制動側限度位置に亘って踏み操作自在に構成され、
前記踏み操作解除位置と前記制動側限度位置との間に第１設定操作位置が設定され、
前記走行用の無段変速装置において、停止位置の近傍に設定低速位置が設定され、
前記ブレーキペダルが踏み操作された場合に、前記操作位置検出センサーにて検出した操作位置が前記第１設定操作位置に近づくほど、前記走行用の無段変速装置を前記設定低速位置側に操作し、前記操作位置検出センサーにて検出した操作位置が前記第１設定操作位置に達すると、前記走行用の無段変速装置を前記設定低速位置に操作する減速手段を備えてある作業車。
【請求項２】
前記走行用の無段変速装置において、停止位置の近傍に前進の設定低速位置と後進の設定低速位置とが設定され、
前記走行用の無段変速装置を停止位置から前進の高速側及び後進の高速側に操作自在に構成すると共に、
前記走行用の無段変速装置が前進の高速側に操作された状態で、前記ブレーキペダルが踏み操作された場合に、前記操作位置検出センサーにて検出した操作位置が前記第１設定操作位置に近づくほど、前記走行用の無段変速装置を前記前進の設定低速位置側に操作し、前記操作位置検出センサーにて検出した操作位置が前記第１設定操作位置に達すると、前記走行用の無段変速装置を前記前進の設定低速位置に操作し、前記走行用の無段変速装置が後進の高速側に操作された状態で、前記ブレーキペダルが踏み操作された場合に、前記操作位置検出センサーにて検出した操作位置が前記第１設定操作位置に近づくほど、前記走行用の無段変速装置を前記後進の設定低速位置側に操作し、前記操作位置検出センサーにて検出した操作位置が前記第１設定操作位置に達すると、前記走行用の無段変速装置を前記後進の設定低速位置に操作するように、前記減速手段を構成してある請求項１に記載の作業車。
【請求項３】
前記ブレーキの制動力が発生し始める位置である前記第１設定操作位置にブレーキペダルが踏み操作されると、前記走行用の無段変速装置が設定低速位置に到達するように、前記減速手段を構成してある請求項１又は２に記載の作業車。
【請求項４】
前記走行用の無段変速装置が設定低速位置に到達した後、前記操作位置検出センサーにて検出した操作位置が前記第１設定操作位置から前記制動側限度位置側に変化しても、前記走行用の無段変速装置が設定低速位置に保持されるように、前記減速手段を構成してある請求項１〜３のうちのいずれか一つに記載の作業車。
【発明の詳細な説明】
【技術分野】
【０００１】
本発明は、走行用の無段変速装置（例えば静油圧式無段変速装置（ＨＳＴ、ＨＭＴ）等）を備えた作業車における停止時の構成に関する。
【背景技術】
【０００２】
中立位置（停止位置）から高速側に操作自在な走行用の無段変速装置を備えた作業車では、一般にブレーキペダルが踏み操作されてブレーキが制動側に操作されると、走行用の無段変速装置が高速側から中立位置（停止位置）に操作されるように構成されたものが多くある。これにより、走行用の無段変速装置が高速側に操作された状態で、ブレーキの制動力が発生する状態を防止しており、ブレーキへの負担を軽くしている。
ブレーキペダル及びブレーキ、ブレーキペダルとブレーキとを連係する連係機構を備えた場合、ブレーキペダルが踏み操作され始めると、直ぐにブレーキの制動力が発生し始めるわけではなく、ブレーキペダルがある程度踏み操作されてから、ブレーキの制動力が発生し始めるように構成されることが多い（ブレーキペダル及びブレーキの遊び）。
【０００３】
この場合、特許文献１に開示されているように、ブレーキペダルが踏み操作され始めてから、ブレーキの制動力が発生し始めるまでの間に、走行用の無段変速装置が高速側から中立位置（停止位置）側に操作されて、ブレーキの制動力が発生し始める位置にブレーキペダルが踏み操作されると、走行用の無段変速装置が中立位置（停止位置）に到達するように構成されたものがある（特許文献１の第３頁左欄第３０行〜第３５行及び第９図参照）。
このようにブレーキペダルが踏み操作された場合、ブレーキの制動力が発生し始めるまでに、走行用の無段変速装置が中立位置（停止位置）に到達するように構成することによって、走行用の無段変速装置が中立位置（停止位置）に到達する前に、ブレーキの制動力が発生する状態を防止しており、ブレーキへの負担を軽くしている。
【０００４】
【特許文献１】実公平６−３０５３９号公報
【発明の開示】
【発明が解決しようとする課題】
【０００５】
特許文献１のように、ブレーキの制動力が発生し始める位置にブレーキペダルが踏み操作されると、走行用の無段変速装置が中立位置（停止位置）に到達するように構成した場合、経年劣化等によりブレーキペダルとブレーキ及び走行用の無段変速装置との間に誤差等が蓄積されると、例えばブレーキペダルが踏み操作され始めてから、先に走行用の無段変速装置が中立位置（停止位置）に到達し、この後にブレーキの制動力が発生し始めると言うような状態になることが考えられる。
【０００６】
前述のような状態になると、走行用の無段変速装置が中立位置（停止位置）に到達してからブレーキの制動力が発生し始めるまでの間、走行用の無段変速装置からの動力が無く且つブレーキの制動力が無い状態となるので、例えば坂道等において機体が自重で少し移動する状態になることがある。
【０００７】
本発明は、停止位置から高速側に操作自在な走行用の無段変速装置を備えた作業車において、ブレーキペダルが踏み操作されて、ブレーキが制動側に操作されると、走行用の無段変速装置が高速側から停止位置側に操作されるように構成する場合、ブレーキへの負担を軽くしながら、走行用の無段変速装置からの動力が無く且つブレーキの制動力が無い状態が、生じないように構成することを目的としている。
【課題を解決するための手段】
【０００８】
［Ｉ］
（構成）
本発明の第１特徴は、作業車において次のように構成することにある。
人為的に操作されるブレーキペダルと、走行用のブレーキとを備え、ブレーキペダルを踏み操作すると連係機構を介してブレーキが制動側に操作されるように構成する。停止位置から高速側に操作自在な走行用の無段変速装置と、前記ブレーキペダルの操作位置を検出する操作位置センサーとを備え、
前記ブレーキペダルは、踏み操作解除位置及び制動側限度位置に亘って踏み操作自在に構成され、
前記踏み操作解除位置と前記制動側限度位置との間に第１設定操作位置が設定され、
前記走行用の無段変速装置において、停止位置の近傍に設定低速位置が設定され、
前記ブレーキペダルが踏み操作された場合に、前記操作位置検出センサーにて検出した操作位置が前記第１設定操作位置に近づくほど、前記走行用の無段変速装置を前記設定低速位置側に操作し、前記操作位置検出センサーにて検出した操作位置が前記第１設定操作位置に達すると、前記走行用の無段変速装置を前記設定低速位置に操作する減速手段を備える。
【０００９】
（作用）
本発明の第１特徴によれば、ブレーキペダルが踏み操作されると、走行用の無段変速装置が停止位置に操作されるのではなく、停止位置の近傍に設定された設定低速位置に操作される。
これにより、経年劣化等によりブレーキペダルとブレーキ及び走行用の無段変速装置との間に誤差等が蓄積されて、例えばブレーキペダルが踏み操作され始めてから、走行用の無段変速装置が停止位置側に早く操作される状態になっても、走行用の無段変速装置が設定低速位置に到達してから、この後にブレーキの制動力が発生し始める状態になって、走行用の無段変速装置が設定低速位置に操作された状態でブレーキの制動力が発生する状態が生じるのであり、走行用の無段変速装置からの動力が無く且つブレーキの制動力が無い状態は生じ難い。
【００１０】
本発明の第１特徴によると、走行用の無段変速装置が設定低速位置に操作された状態でブレーキの制動力が発生する状態が生じるのであるが、設定低速位置は停止位置の近傍に設定されており、走行用の無段変速装置に高速の動力は発生しないので、ブレーキに大きな負担が掛かることはない。
【００１１】
本発明の第１特徴によると、走行用の無段変速装置が設定低速位置に操作された状態でブレーキの制動力が発生する状態において、ブレーキの制動力が十分でない場合（ブレーキペダルが十分に踏み操作されていない場合）、走行用の無段変速装置の低速の動力がブレーキの制動力に打ち勝って、作業車が移動することが考えられる。
しかしながら、この場合には走行用の無段変速装置の低速の動力により作業車が移動する状態であり、運転者が十分に予測できる状態であるので、例えば坂道等において作業車が自重で少し移動するような違和感を、運転者が感じることはない。
【００１２】
（発明の効果）
本発明の第１特徴によると、停止位置から高速側に操作自在な走行用の無段変速装置を備えた作業車において、ブレーキペダルが踏み操作されて、ブレーキが制動側に操作されると、走行用の無段変速装置が高速側から停止位置側に操作されるように構成する場合、走行用の無段変速装置が設定低速位置に操作された状態でブレーキの制動力が発生する状態が生じるように構成することにより、例えば坂道等において作業車が自重で少し移動する状態を防止することができた。
【００１３】
本発明の第１特徴によると、走行用の無段変速装置が設定低速位置に操作された状態でブレーキの制動力が発生する状態が発生しても、走行用の無段変速装置に高速の動力は発生せず、ブレーキに大きな負担が掛かることはないので、ブレーキの耐久性と言う面で有利なものとなった。
【００１４】
本発明の第１特徴によると、走行用の無段変速装置が設定低速位置に操作された状態でブレーキの制動力が発生する状態が生じて、作業車が移動しても、例えば坂道等において作業車が自重で少し移動するような違和感を、運転者が感じることはないので、違和感に基づく誤操作の誘発を防止することができた。
【００１５】
［ＩＩ］
（構成）
本発明の第２特徴は、本発明の第１特徴の作業車において次のように構成することにある。
前記走行用の無段変速装置において、停止位置の近傍に前進の設定低速位置と後進の設定低速位置とが設定され、
前記走行用の無段変速装置を停止位置から前進の高速側及び後進の高速側に操作自在に構成すると共に、
前記走行用の無段変速装置が前進の高速側に操作された状態で、前記ブレーキペダルが踏み操作された場合に、前記操作位置検出センサーにて検出した操作位置が前記第１設定操作位置に近づくほど、前記走行用の無段変速装置を前記前進の設定低速位置側に操作し、前記操作位置検出センサーにて検出した操作位置が前記第１設定操作位置に達すると、前記走行用の無段変速装置を前記前進の設定低速位置に操作し、前記走行用の無段変速装置が後進の高速側に操作された状態で、前記ブレーキペダルが踏み操作された場合に、前記操作位置検出センサーにて検出した操作位置が前記第１設定操作位置に近づくほど、前記走行用の無段変速装置を前記後進の設定低速位置側に操作し、前記操作位置検出センサーにて検出した操作位置が前記第１設定操作位置に達すると、前記走行用の無段変速装置を前記後進の設定低速位置に操作するように、前記減速手段を構成する。
【００１６】
（作用）
本発明の第２特徴によると、本発明の第１特徴と同様に前項［Ｉ］に記載の「作用」を備えており、これに加えて以下のような「作用」を備えている。
走行用の無段変速装置では一般に、例えば静油圧式無段変速装置（ＨＳＴ、ＨＭＴ）等のように、停止位置から前進の高速側及び後進の高速側に操作自在に構成されたものが多くある。
この場合、例えば走行用の無段変速装置が前進の高速側に操作された状態で、ブレーキペダルが踏み操作されると、後進の設定低速位置に走行用の無段変速装置が操作されるように構成すれば、走行用の無段変速装置が前進の高速側から後進の設定低速位置に操作された状態でブレーキの制動力が発生する状態が生じる。
【００１７】
この状態において、前項［Ｉ］に記載のように、ブレーキの制動力が十分でない場合（ブレーキペダルが十分に踏み操作されていない場合）、当初は作業車は前進（走行用の無段変速装置の前進の高速側）していたのに、ブレーキペダルが踏み操作された際に、ブレーキペダルが十分に踏み操作されていないと、走行用の無段変速装置の低速の後進動力がブレーキの制動力に打ち勝って、作業車が後進（走行用の無段変速装置の後進の設定低速位置）することになり、運転者が違和感を感じることが考えられる。
【００１８】
本発明の第２特徴によると、ブレーキペダルが踏み操作された場合、走行用の無段変速装置が前進の高速側に操作されていれば、前進の設定低速位置に走行用の無段変速装置が操作され、走行用の無段変速装置が後進の高速側に操作されていれば、後進の設定低速位置に走行用の無段変速装置が操作される。
これにより、例えば作業車が前進（走行用の無段変速装置の前進の高速側）している状態で、ブレーキペダルが踏み操作された際に、ブレーキペダルが十分に踏み操作されておらず、走行用の無段変速装置の低速の前進動力がブレーキの制動力に打ち勝っても、当初と同様に作業車は前進（走行用の無段変速装置の前進の設定低速位置）するので、運転者が違和感を感じることはない。
【００１９】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、走行用の無段変速装置を停止位置から前進の高速側及び後進の高速側に操作自在に構成した場合、走行用の無段変速装置が設定低速位置に操作された状態でブレーキの制動力が発生する状態が生じて作業車が移動しても、作業車が当初と同じ方向に移動するように構成することにより、運転者が違和感を感じることがないようにすることができて、違和感に基づく誤操作の誘発を防止することができた。
【００２０】
［ＩＩＩ］
（構成）
本発明の第３特徴は、本発明の第１又は第２特徴の作業車において次のように構成することにある。
ブレーキの制動力が発生し始める位置である前記第１設定操作位置にブレーキペダルが踏み操作されると、走行用の無段変速装置が設定低速位置に到達するように、減速手段を構成する。
【００２１】
（作用）
本発明の第３特徴によると、本発明の第１又は第２特徴と同様に前項［Ｉ］［ＩＩ］に記載の「作用」を備えており、これに加えて以下のような「作用」を備えている。
本発明の第３特徴によると、ブレーキペダルが踏み操作され始めてから、ブレーキの制動力が発生し始めるまでの間に、走行用の無段変速装置が高速側から停止位置側に操作されて、ブレーキの制動力が発生し始める位置にブレーキペダルが踏み操作されると、走行用の無段変速装置が設定低速位置に到達する。これにより、走行用の無段変速装置が設定低速位置に到達する前に、ブレーキの制動力が発生する状態を防止しており、ブレーキへの負担を軽くしている。
【００２２】
（発明の効果）
本発明の第３特徴によると、本発明の第１又は第２特徴と同様に前項［Ｉ］［ＩＩ］に記載の「発明の効果」を備えており、これに加えて以下のような「発明の効果」を備えている。
本発明の第３特徴によると、走行用の無段変速装置が設定低速位置に到達する前に、ブレーキの制動力が発生する状態を防止して、ブレーキへの負担を軽くしており、ブレーキの耐久性と言う面で有利なものとなった。
【００２３】
［ＩＶ］
（構成）
本発明の第４特徴は、本発明の第１〜第３特徴の作業車のうちのいずれか一つにおいて次のように構成することにある。
走行用の無段変速装置が設定低速位置に到達した後、前記操作位置検出センサーにて検出した操作位置が前記第１設定操作位置から前記制動側限度位置側に変化しても、走行用の無段変速装置が設定低速位置に保持されるように、減速手段を構成する。
【００２４】
（作用）
本発明の第４特徴によると、本発明の第１〜第３特徴のうちのいずれか一つと同様に前項［Ｉ］〜［ＩＩＩ］に記載の「作用」を備えており、これに加えて以下のような「作用」を備えている。
人為的に操作されるブレーキペダルと、ブレーキとを備え、ブレーキペダルが踏み操作されると、連係機構を介してブレーキが制動側に操作されるように構成した場合、経年劣化等によりブレーキペダルとブレーキ及び走行用の無段変速装置との間に誤差等が蓄積されると、ブレーキペダルの踏み操作に対して、ブレーキの制動力が発生し始めるブレーキペダルの操作位置が変化（移動）することがある。
【００２５】
本発明の第４特徴によると、走行用の無段変速装置が設定低速位置に到達した後、走行用の無段変速装置が設定低速位置に保持されるように構成しており、走行用の無段変速装置が設定低速位置に操作された状態に少し幅を持たせている。
これにより、前述のようにブレーキペダルの踏み操作に対して、ブレーキの制動力が発生し始めるブレーキペダルの位置が変化（移動）しても、走行用の無段変速装置が設定低速位置に操作された状態でブレーキの制動力が発生する状態を、確実に生じさせることができるのであり、走行用の無段変速装置からの動力が無く且つブレーキの制動力が無い状態を生じ難くすることができる。
【００２６】
（発明の効果）
本発明の第４特徴によると、本発明の第１〜第３特徴のうちのいずれか一つと同様に前項［Ｉ］〜［ＩＩＩ］に記載の「発明の効果」を備えており、これに加えて以下のような「発明の効果」を備えている。
本発明の第４特徴によると、走行用の無段変速装置が設定低速位置に操作された状態でブレーキの制動力が発生する状態を、確実に生じさせることができるようになって、例えば坂道等において作業車が自重で少し移動する状態を防止することができた。
【発明を実施するための最良の形態】
【００２７】
［１］
図１及び図２に示すように、右及び左の前輪１、右及び左の後輪２で支持された機体の中央部に運転部３が形成されて、作業車の一例である四輪駆動型の農用トラクタが構成されている。機体の前部に備えられたエンジン４の動力が、主クラッチ（図示せず）、静油圧式無段変速装置５（走行用の無段変速装置に相当）、ギヤ変速式の副変速装置（図示せず）、後輪デフ機構（図示せず）を介して右及び左の後輪２に伝達されており、後輪デフ機構の直前から分岐した動力が、前輪変速装置（図示せず）及び前輪デフ機構（図示せず）を介して、右及び左の前輪１に伝達されている。
【００２８】
図３に示すように、静油圧式無段変速装置５は、中立位置Ｎ（停止位置に相当）、中立位置Ｎから前進Ｆの高速側及び後進Ｒの高速側に無段階に操作自在に構成されている。静油圧式無段変速装置５のトラニオン軸５ａを操作する電動シリンダ６が備えられて、制御装置８により電動シリンダ６が操作されるように構成されており、静油圧式無段変速装置５のトラニオン軸５ａの位置を検出するポテンショメータ７が備えられ、ポテンショメータ７の検出値が制御装置８に入力されている。
【００２９】
前輪変速装置は、右及び左の前輪１、右及び左の後輪２が略同じ速度で駆動される標準状態、右及び左の前輪１が右及び左の後輪２よりも高速で駆動される増速状態に、操作自在に構成されている。右及び左の前輪１が直進位置から右及び左の設定角度の範囲に操向操作されると、前輪変速装置が標準状態に操作され、右及び左の前輪１が右及び左の設定角度を越えて右及び左に操向操作されると、前輪変速装置が増速状態に操作される。
【００３０】
［２］
次に、変速レバー１０及び変速ペダル１２について説明する。
図１，２，３に示すように、運転部３において運転座席９の右横側に、変速レバー１０が備えられており、変速レバー１０の操作位置を検出するポテンショメータ１１が備えられて、ポテンショメータ１１の検出値が制御装置８に入力されている。変速レバー１０は中立位置Ｎと前進Ｆの最高速位置ＦＭとの間で操作自在であり、ある操作位置に操作してから手を離しても、その操作位置に保持されるように構成されている。これにより、変速レバー１０の操作位置に基づいて、制御装置８及び電動シリンダ６により、静油圧式無段変速装置５のトラニオン軸５ａが以下のように操作される。
【００３１】
図３に示すように、変速レバー１０が中立位置Ｎに操作されると、静油圧式無段変速装置５のトラニオン軸５ａが中立位置Ｎに操作され、変速レバー１０が前進Ｆの最高速位置ＦＭに操作されると、静油圧式無段変速装置５のトラニオン軸５ａが前進Ｆの最高速位置ＦＭに操作される。変速レバー１０が中立位置Ｎと前進Ｆの最高速位置ＦＭとの間に操作されると、静油圧式無段変速装置５のトラニオン軸５ａが変速レバー１０の操作位置に対応する位置に操作される。このように、変速レバー１０を操作することにより、静油圧式無段変速装置５のトラニオン軸５ａを中立位置Ｎと前進Ｆの最高速位置ＦＭとの間に操作及び保持して、一定速度での前進の走行が行える。
【００３２】
図１，２，３に示すように、運転部３において右下部に変速ペダル１２が備えられており、変速パダル１２の操作位置を検出するポテンショメータ１３が備えられて、ポテンショメータ１３の検出値が制御装置８に入力されている。変速ペダル１２は中立位置Ｎ、中立位置Ｎから前進Ｆの高速側及び後進Ｒの高速側に操作自在に構成されており、中立位置Ｎに付勢されている。これにより、変速ペダル１２の操作位置に基づいて、制御装置８及び電動シリンダ６により、静油圧式無段変速装置５のトラニオン軸５ａが以下のように操作される。
【００３３】
図３に示すように、変速レバー１０が中立位置Ｎに操作されている状態において、変速ペダル１２を中立位置Ｎから前進Ｆの高速側（前進Ｆの最高速位置ＦＭ）、及び後進Ｒの高速側（後進Ｒの最高速位置ＲＭ）に操作すると、静油圧式無段変速装置５のトラニオン軸５ａが変速ペダル１２の操作位置に対応する位置に操作される。
変速レバー１０が中立位置Ｎから前進Ｆの高速側に操作されている状態（静油圧式無段変速装置５のトラニオン軸５ａが変速レバー１０の操作位置に対応する位置に操作されている状態）において、変速ペダル１２を後進Ｒの高速側に操作しても、変速ペダル１２の操作が無視される。
【００３４】
図３に示すように、変速レバー１０が中立位置Ｎから前進Ｆの高速側に操作されている状態（静油圧式無段変速装置５のトラニオン軸５ａが変速レバー１０の操作位置に対応する位置に操作されている状態）において、変速ペダル１２を前進Ｆの高速側に操作する場合、変速ペダル１２が変速レバー１０の操作位置に対応する位置よりも前進Ｆの高速側に操作されると、静油圧式無段変速装置５のトラニオン軸５ａが変速ペダル１２の操作位置に対応する位置に操作される。次に変速ペダル１２が変速レバー１０の操作位置に対応する位置よりも中立位置Ｎ側に操作されると、静油圧式無段変速装置５のトラニオン軸５ａが変速レバー１０の操作位置に対応する位置に操作される。
【００３５】
［３］
次に、右及び左のブレーキペダル１５，１６について説明する。
図１，２，３に示すように、運転部３において左下部に、主クラッチを伝動及び遮断状態に操作するクラッチペダル１４が備えられており、運転部３において右下部の変速ペダル１２の前方に、右及び左のブレーキペダル１５，１６が左右方向に並べて備えられている。右の後輪２を制動可能な右のブレーキ１７、及び左の後輪２を制動可能な左のブレーキ１８が備えられており、右のブレーキペダル１５と右のブレーキ１７とが連係ロッド１９（連係機構に相当）を介して接続され、左のブレーキペダル１６と左のブレーキ１８とが連係ロッド１９（連係機構に相当）を介して接続されている。
【００３６】
図３及び図４の一点鎖線Ｃ１に示すように、右及び左のブレーキペダル１５，１６は、踏み操作解除位置Ａ１及び制動側限度位置Ａ２に亘って踏み操作自在であり、踏み操作解除位置Ａ１に付勢されている。踏み操作解除位置Ａ１と制動側限度位置Ａ２との間に第１設定操作位置Ａ３が設定されており、右及び左のブレーキペダル１５，１６を踏み操作した場合、右及び左のブレーキペダル１５，１６の操作位置ＡＲ，ＡＬが踏み操作解除位置Ａ１と第１設定操作位置Ａ３との間であると、右及び左のブレーキ１７，１８が解除状態に操作されている（右及び左のブレーキペダル１５，１６、連係ロッド１９、右及び左のブレーキ１７，１８の遊び）。
【００３７】
図３及び図４の一点鎖線Ｃ１に示すように、右及び左のブレーキペダル１５，１６の操作位置ＡＲ，ＡＬが第１設定操作位置Ａ３になると、右及び左のブレーキ１７，１８の制動力が発生し始め、右及び左のブレーキペダル１５，１６を第１設定操作位置Ａ３から制動側限度位置Ａ２に踏み操作するほど、右及び左のブレーキ１７，１８の制動力が大きくなっていき、右及び左のブレーキペダル１５，１６の操作位置ＡＲ，ＡＬが制動側限度位置Ａ２になると、右及び左のブレーキ１７，１８の制動力が最大となる。
【００３８】
図３に示すように、右及び左のブレーキペダル１５，１６の操作位置ＡＲ，ＡＬを検出するポテンショメータ２０が備えられており、ポテンショメータ２０の検出値が制御装置８に入力されている。この場合、右及び左のブレーキペダル１５，１６の操作位置ＡＲ，ＡＬが踏み操作解除位置Ａ１であると、ポテンショメータ２０の検出値は最小値となり、右及び左のブレーキペダル１５，１６の操作位置ＡＲ，ＡＬが制動側限度位置Ａ２であると、ポテンショメータ２０の検出値は最大値となる。
【００３９】
右及び左のブレーキペダル１５，１６が踏み操作解除位置Ａ１から制動側限度位置Ａ２に踏み操作される場合、直進時の停止時には、右及び左のブレーキペダル１５，１６が同じ操作位置ＡＲ，ＡＬに踏み操作される。
右への小回り旋回時、右及び左の前輪１が右の設定角度を越えて右に操向操作され、前輪変速装置が増速状態に操作された状態で、右のブレーキペダル１５だけが踏み操作されることがある。この場合、右のブレーキペダル１５が大きく踏み操作されながら（踏み操作解除位置Ａ１から遠い側）、左のブレーキペダル１６が小さく踏み操作されることがある（踏み操作解除位置Ａ１に近い側）。
左への小回り旋回時、右及び左の前輪１が左の設定角度を越えて左に操向操作され、前輪変速装置が増速状態に操作された状態で、左のブレーキペダル１６だけが踏み操作されることがある。この場合、左のブレーキペダル１６が大きく踏み操作されながら（踏み操作解除位置Ａ１から遠い側）、右のブレーキペダル１５が小さく踏み操作されることがある（踏み操作解除位置Ａ１に近い側）。
【００４０】
［４］
次に、右及び左のブレーキペダル１５，１６が踏み操作解除位置Ａ１から制動側限度位置Ａ２に踏み操作される場合（右及び左のブレーキペダル１５，１６の操作位置ＡＲ，ＡＬが同じ状態）において、静油圧式無段変速装置５と右及び左のブレーキペダル１５，１６との関係の前半について、図５に基づいて説明する。
右及び左のブレーキペダル１５，１６の操作位置ＡＲ，ＡＬが検出されており（ステップＳ１）、右及び左のブレーキペダル１５，１６の操作位置ＡＲ，ＡＬが比較されている（ステップＳ２）。右及び左のブレーキペダル１５，１６の操作位置ＡＲ，ＡＬが同じ状態であると、右及び左のブレーキペダル１５，１６の操作位置ＡＲ，ＡＬが操作値ＡＡとして設定される（ステップＳ３）。
【００４１】
図４の実線Ｃ２に示すように、踏み操作解除位置Ａ１と第１設定操作位置Ａ３との間で踏み操作解除位置Ａ１に近い位置に、第２設定操作位置Ａ４が設定されている。これにより、右及び左のブレーキペダル１５，１６の操作位置ＡＲ，ＡＬが同じ状態において、右及び左のブレーキペダル１５，１６の操作位置ＡＲ，ＡＬ（操作値ＡＡ）が、踏み操作解除位置Ａ１と第２設定操作位置Ａ４との間であると（ステップＳ６）、右及び左のブレーキペダル１５，１６の操作位置ＡＲ，ＡＬ（操作値ＡＡ）に関係なく、変速レバー１０及び変速ペダル１２の操作位置に基づいて、静油圧式無段変速装置５のトラニオン軸５ａが操作されている（前項［２］参照）。この間、右及び左のブレーキ１７，１８が解除状態に操作されている。
【００４２】
図３及び図４に示すように、静油圧式無段変速装置５において、中立位置Ｎの近傍に前進Ｆの設定低速位置Ｆ１、及び後進Ｒの設定低速位置Ｒ１が設定されている。静油圧式無段変速装置５のトラニオン軸５ａが前進Ｆ及び後進Ｒの設定低速位置Ｆ１，Ｒ１に操作されると、機体が低速で前進又は後進する状態となる（クリープ状態）。
【００４３】
図４の実線Ｃ２に示すように、右及び左のブレーキペダル１５，１６の操作位置ＡＲ，ＡＬが同じ状態（操作値ＡＡ＝ＡＲ（ＡＬ））において、右及び左のブレーキペダル１５，１６の操作位置ＡＲ，ＡＬ（操作値ＡＡ）が、第２設定操作位置Ａ４と第１設定操作位置Ａ３との間であったとする（ステップＳ６）。
変速レバー１０が前進Ｆに操作されている状態では（ステップＳ７）、静油圧式無段変速装置５のトラニオン軸５ａが、変速レバー１０の操作位置に対応する位置と前進Ｆの設定低速位置Ｆ１との間において操作されるのであり、右及び左のブレーキペダル１５，１６の操作位置ＡＲ，ＡＬ（操作値ＡＡ）が第１設定操作位置Ａ３に近づくほど、静油圧式無段変速装置５のトラニオン軸５ａが前進Ｆの設定低速位置Ｆ１側に操作される。右及び左のブレーキペダル１５，１６の操作位置ＡＲ，ＡＬ（操作値ＡＡ）が第１設定操作位置Ａ３になると、静油圧式無段変速装置５のトラニオン軸５ａが前進Ｆの設定低速位置Ｆ１に到達する（ステップＳ９）（減速手段に相当）。この間、右及び左のブレーキ１７，１８が解除状態に操作されている。
【００４４】
図４の実線Ｃ２に示すように、右及び左のブレーキペダル１５，１６の操作位置ＡＲ，ＡＬが同じ状態（操作値ＡＡ＝ＡＲ（ＡＬ））において、右及び左のブレーキペダル１５，１６の操作位置ＡＲ，ＡＬ（操作値ＡＡ）が、第２設定操作位置Ａ４と第１設定操作位置Ａ３との間であったとする（ステップＳ６）。
変速ペダル１２が前進Ｆ（後進Ｒ）に操作されている状態では（ステップＳ８）、変速ペダル１２から足が離されてから右及び左のブレーキペダル１５，１６が踏み操作される状態となるので、変速ペダル１２が前進Ｆ（後進Ｒ）から中立位置Ｎに戻りながら、右及び左のブレーキペダル１５，１６が踏み操作される状態となる。
【００４５】
この場合、図４の実線Ｃ２に示すように、ステップＳ９と同様に、静油圧式無段変速装置５のトラニオン軸５ａが、変速ペダル１２の操作位置に対応する位置と前進Ｆの設定低速位置Ｆ１（後進Ｒの設定低速位置Ｒ１）との間において操作されるのであり、右及び左のブレーキペダル１５，１６の操作位置ＡＲ，ＡＬ（操作値ＡＡ）が第１設定操作位置Ａ３に近づくほど、静油圧式無段変速装置５のトラニオン軸５ａが前進Ｆの設定低速位置Ｆ１（後進Ｒの設定低速位置Ｒ１）側に操作される。右及び左のブレーキペダル１５，１６の操作位置ＡＲ，ＡＬ（操作値ＡＡ）が第１設定操作位置Ａ３になると、静油圧式無段変速装置５のトラニオン軸５ａが前進Ｆの設定低速位置Ｆ１（後進Ｒの設定低速位置Ｒ１）に到達する（減速手段に相当）（ステップＳ１０，Ｓ１１）。この間、右及び左のブレーキ１７，１８が解除状態に操作されている。
【００４６】
ステップＳ１０，Ｓ１１において、変速ペダル１２から足が離されて、変速ペダル１２が前進Ｆ（後進Ｒ）から中立位置Ｎに戻る際、右及び左のブレーキペダル１５，１６の操作位置ＡＲ，ＡＬに基づく静油圧式無段変速装置５のトラニオン軸５ａの位置に対し、変速ペダル１２の操作位置に対応する位置が中立位置Ｎ側になると（早く中立位置Ｎ側になると）、右及び左のブレーキペダル１５，１６の操作位置ＡＲ，ＡＬ（操作値ＡＡ）が無視され、変速ペダル１２の操作位置に基づいて、静油圧式無段変速装置５のトラニオン軸５ａが操作される（早く前進Ｆの設定低速位置Ｆ１（後進Ｒの設定低速位置Ｒ１）に操作される）。
【００４７】
［５］
次に、右及び左のブレーキペダル１５，１６が踏み操作解除位置Ａ１から制動側限度位置Ａ２に踏み操作される場合（右及び左のブレーキペダル１５，１６の操作位置ＡＲ，ＡＬが同じ状態）において、静油圧式無段変速装置５と右及び左のブレーキペダル１５，１６との関係の後半について、図５に基づいて説明する。
【００４８】
図４の実線Ｃ２に示すように、第１設定操作位置Ａ３と制動側限度位置Ａ２との間で制動側限度位置Ａ２に近い位置に、第３設定操作位置Ａ５が設定されている。
図４の実線Ｃ２に示すように、右及び左のブレーキペダル１５，１６の操作位置ＡＲ，ＡＬが同じ状態において、右及び左のブレーキペダル１５，１６の操作位置ＡＲ，ＡＬ（操作値ＡＡ）が、第１設定操作位置Ａ３と第３設定操作位置Ａ５との間であったとする（ステップＳ６）。
【００４９】
図４の実線Ｃ２に示すように、変速レバー１０が前進Ｆに操作されている状態（ステップＡ１２）及び変速ペダル１２が前進Ｆに操作されている状態（ステップＳ１３）では、静油圧式無段変速装置５のトラニオン軸５ａが前進Ｆの設定低速位置Ｆ１に保持される（ステップＳ１４）。変速ペダル１２が後進Ｒに操作されている状態では（ステップＳ１３）、静油圧式無段変速装置５のトラニオン軸５ａが後進Ｒの設定低速位置Ｒ１に保持される（ステップＳ１５）。
【００５０】
図４の実線Ｃ２に示すように、右及び左のブレーキペダル１５，１６の操作位置ＡＲ，ＡＬが同じ状態において、右及び左のブレーキペダル１５，１６の操作位置ＡＲ，ＡＬ（操作値ＡＡ）が、第３設定操作位置Ａ５と制動側限度位置Ａ２との間であったとする（ステップＳ６）。この状態では、変速レバー１０及び変速ペダル１２に関係なく、静油圧式無段変速装置５のトラニオン軸５ａが中立位置Ｎに保持される（ステップＳ１６）。
【００５１】
この場合、図４の一点鎖線Ｃ１に示すように、右及び左のブレーキペダル１５，１６の操作位置ＡＲ，ＡＬ（操作値ＡＡ）において、第１設定操作位置Ａ３から右及び左のブレーキ１６，１７の制動力が発生し始めるのであり、右及び左のブレーキペダル１５，１６を第１設定操作位置Ａ３から制動側限度位置Ａ２に踏み操作するほど、右及び左のブレーキ１７，１８の制動力が大きくなっていき、右及び左のブレーキペダル１５，１６の操作位置ＡＲ，ＡＬが制動側限度位置Ａ２になると、右及び左のブレーキ１７，１８の制動力が最大となる。
【００５２】
［６］
次に、右及び左のブレーキペダル１５，１６が踏み操作解除位置Ａ１から制動側限度位置Ａ２に踏み操作される場合（右及び左のブレーキペダル１５，１６の操作位置ＡＲ，ＡＬが異なる状態）において、静油圧式無段変速装置５と右及び左のブレーキペダル１５，１６との関係の前半について、図５に基づいて説明する。
右及び左のブレーキペダル１５，１６の操作位置ＡＲ，ＡＬが検出されており（ステップＳ１）、右及び左のブレーキペダル１５，１６の操作位置ＡＲ，ＡＬが比較されている（ステップＳ２）。右のブレーキペダル１５の操作位置ＡＲが左のブレーキペダル１６の操作位置ＡＬよりも踏み操作解除位置Ａ１に近い状態であると、右のブレーキペダル１５の操作位置ＡＲが操作値ＡＡとして設定される（ステップＳ４）。左のブレーキペダル１６の操作位置ＡＬが右のブレーキペダル１５の操作位置ＡＲよりも踏み操作解除位置Ａ１に近い状態であると、左のブレーキペダル１６の操作位置ＡＬが操作値ＡＡとして設定される（ステップＳ５）。
【００５３】
右のブレーキペダル１５だけが踏み操作され、左のブレーキペダル１６が踏み操作されない状態、左のブレーキペダル１６だけが踏み操作され、右のブレーキペダル１５が踏み操作されない状態では、踏み操作されない右又は左のブレーキペダル１５，１６の操作位置ＡＲ，ＡＬは、踏み操作解除位置Ａ１のままであるので（ステップＳ６）、踏み操作された右又は左のブレーキペダル１５，１６の操作位置ＡＲ，ＡＬに関係なく、変速レバー１０及び変速ペダル１２の操作位置に基づいて、静油圧式無段変速装置５のトラニオン軸５ａが操作されている（前項［２］参照）。この間、踏み操作された右又は左のブレーキペダル１５，１６の操作位置ＡＲ，ＡＬに基づいて、右又は左のブレーキ１７，１８が制動力を発生し、踏み操作されない右又は左のブレーキペダル１５，１６の右又は左のブレーキ１７，１８が解除状態に操作されている。
【００５４】
右のブレーキペダル１５が大きく踏み操作されながら（踏み操作解除位置Ａ１から遠い側）、左のブレーキペダル１６が小さく踏み操作される（踏み操作解除位置Ａ１に近い側）状態、及び、左のブレーキペダル１６が大きく踏み操作されながら（踏み操作解除位置Ａ１から遠い側）、右のブレーキペダル１５が小さく踏み操作される（踏み操作解除位置Ａ１に近い側）状態において、踏み操作解除位置Ａ１に近い側の右又は左のブレーキペダル１５，１６の操作位置ＡＲ，ＡＬ（操作値ＡＡ）が、踏み操作解除位置Ａ１と第２設定操作位置Ａ４との間であると（ステップＳ６）、踏み操作解除位置Ａ１に近い側の右又は左のブレーキペダル１５，１６の操作位置ＡＲ，ＡＬ（操作値ＡＡ）に関係なく、変速レバー１０及び変速ペダル１２の操作位置に基づいて、静油圧式無段変速装置５のトラニオン軸５ａが操作されている（前項［２］参照）。
【００５５】
図４の実線Ｃ２に示すように、踏み操作解除位置Ａ１に近い側の右又は左のブレーキペダル１５，１６の操作位置ＡＲ，ＡＬ（操作値ＡＡ）が、第２設定操作位置Ａ４と第１設定操作位置Ａ３との間であったとする（ステップＳ６）。
前項［４］と同様に、変速レバー１０が前進Ｆに操作されている状態では（ステップＳ７）、静油圧式無段変速装置５のトラニオン軸５ａが、変速レバー１０の操作位置に対応する位置と前進Ｆの設定低速位置Ｆ１との間において操作されるのであり、踏み操作解除位置Ａ１に近い側の右又は左のブレーキペダル１５，１６の操作位置ＡＲ，ＡＬ（操作値ＡＡ）が第１設定操作位置Ａ３に近づくほど、静油圧式無段変速装置５のトラニオン軸５ａが前進Ｆの設定低速位置Ｆ１側に操作される。踏み操作解除位置Ａ１に近い側の右又は左のブレーキペダル１５，１６の操作位置ＡＲ，ＡＬ（操作値ＡＡ）が第１設定操作位置Ａ３になると、静油圧式無段変速装置５のトラニオン軸５ａが前進Ｆの設定低速位置Ｆ１に到達する（ステップＳ９）（減速手段に相当）。
【００５６】
図４の実線Ｃ２に示すように、踏み操作解除位置Ａ１に近い側の右又は左のブレーキペダル１５，１６の操作位置ＡＲ，ＡＬ（操作値ＡＡ）が、第２設定操作位置Ａ４と第１設定操作位置Ａ３との間であったとする（ステップＳ６）。
前項［４］と同様に、変速ペダル１２が前進Ｆ（後進Ｒ）に操作されている状態では（ステップＳ８）、変速ペダル１２から足が離されてから右及び左のブレーキペダル１５，１６が踏み操作される状態となるので、変速ペダル１２が前進Ｆ（後進Ｒ）から中立位置Ｎに戻りながら、右及び左のブレーキペダル１５，１６が踏み操作される状態となる。
【００５７】
この場合、図４の実線Ｃ２に示すように、ステップＳ９と同様に、静油圧式無段変速装置５のトラニオン軸５ａが、変速ペダル１２の操作位置に対応する位置と前進Ｆの設定低速位置Ｆ１（後進Ｒの設定低速位置Ｒ１）との間において操作されるのであり、踏み操作解除位置Ａ１に近い側の右又は左のブレーキペダル１５，１６の操作位置ＡＲ，ＡＬ（操作値ＡＡ）が第１設定操作位置Ａ３に近づくほど、静油圧式無段変速装置５のトラニオン軸５ａが前進Ｆの設定低速位置Ｆ１（後進Ｒの設定低速位置Ｒ１）側に操作される。踏み操作解除位置Ａ１に近い側の右又は左のブレーキペダル１５，１６の操作位置ＡＲ，ＡＬ（操作値ＡＡ）が第１設定操作位置Ａ３になると、静油圧式無段変速装置５のトラニオン軸５ａが前進Ｆの設定低速位置Ｆ１（後進Ｒの設定低速位置Ｒ１）に到達する（減速手段に相当）（ステップＳ１０，Ｓ１１）。
【００５８】
ステップＳ１０，Ｓ１１において、変速ペダル１２から足が離されて、変速ペダル１２が前進Ｆ（後進Ｒ）から中立位置Ｎに戻る際、右及び左のブレーキペダル１５，１６の操作位置ＡＲ，ＡＬに基づく静油圧式無段変速装置５のトラニオン軸５ａの位置に対し、変速ペダル１２の操作位置に対応する位置が中立位置Ｎ側になると（早く中立位置Ｎ側になると）、踏み操作解除位置Ａ１に近い側の右又は左のブレーキペダル１５，１６の操作位置ＡＲ，ＡＬ（操作値ＡＡ）が無視され、変速ペダル１２の操作位置に基づいて、静油圧式無段変速装置５のトラニオン軸５ａが操作される（早く前進Ｆの設定低速位置Ｆ１（後進Ｒの設定低速位置Ｒ１）に操作される）。
【００５９】
以上の間において、踏み操作解除位置Ａ１に近い側の右又は左のブレーキペダル１５，１６の右又は左のブレーキ１７，１８は解除状態に操作されているのであり、踏み操作解除位置Ａ１から遠い側の右又は左のブレーキペダル１５，１６の右又は左のブレーキ１７，１８は、前項［５］及び図４の一点鎖線Ｃ１に示すように、踏み操作解除位置Ａ１から遠い側の右又は左のブレーキペダル１５，１６の操作位置ＡＲ，ＡＬに基づいて制動力を発生する。
【００６０】
［７］
次に、右及び左のブレーキペダル１５，１６が踏み操作解除位置Ａ１から制動側限度位置Ａ２に踏み操作される場合（右及び左のブレーキペダル１５，１６の操作位置ＡＲ，ＡＬが異なる状態）において、静油圧式無段変速装置５と右及び左のブレーキペダル１５，１６との関係の後半について、図５に基づいて説明する。
【００６１】
図４の実線Ｃ２に示すように、踏み操作解除位置Ａ１に近い側の右又は左のブレーキペダル１５，１６の操作位置ＡＲ，ＡＬ（操作値ＡＡ）が、第１設定操作位置Ａ３と第３設定操作位置Ａ５との間であったとする（ステップＳ６）。
変速レバー１０が前進Ｆに操作されている状態（ステップＳ１２）及び変速ペダル１２が前進Ｆに操作されている状態（ステップＳ１３）では、静油圧式無段変速装置５のトラニオン軸５ａが前進Ｆの設定低速位置Ｆ１に保持される（ステップＳ１４）。変速ペダル１２が後進Ｒに操作されている状態では（ステップＳ１３）、静油圧式無段変速装置５のトラニオン軸５ａが後進Ｒの設定低速位置Ｒ１に保持される（ステップＳ１５）。
【００６２】
図４の実線Ｃ２に示すように、踏み操作解除位置Ａ１に近い側の右又は左のブレーキペダル１５，１６の操作位置ＡＲ，ＡＬ（操作値ＡＡ）が、第３設定操作位置Ａ５と制動側限度位置Ａ２との間であったとする（ステップＳ６）。この状態では、変速レバー１０及び変速ペダル１２に関係なく、静油圧式無段変速装置５のトラニオン軸５ａが中立位置Ｎに保持される（ステップＳ１６）。
【００６３】
この場合、図４の一点鎖線Ｃ１に示すように、右及び左のブレーキペダル１５，１６の操作位置ＡＲ，ＡＬ（操作値ＡＡ）において、第１設定操作位置Ａ３から右及び左のブレーキ１６，１７の制動力が発生し始めるのであり、右及び左のブレーキペダル１５，１６が第１設定操作位置Ａ３から制動側限度位置Ａ２に踏み操作されるほど、右及び左のブレーキ１７，１８の制動力が大きくなっていき、右及び左のブレーキペダル１５，１６の操作位置ＡＲ，ＡＬが制動側限度位置Ａ２になると、右及び左のブレーキ１７，１８の制動力が最大となる。
【００６４】
［８］
経年劣化等により右及び左のブレーキペダル１５，１６と右及び左のブレーキ１７，１８との間に誤差等が蓄積されると、右及び左のブレーキペダル１５，１６の踏み操作に対して、右及び左のブレーキ１７，１８の制動力が発生し始める右及び左のブレーキペダル１５，１６の操作位置ＡＲ，ＡＬが変化（移動）することがある。
例えば図４の二点鎖線Ｃ３に示すように、右及び左のブレーキペダル１５，１６の操作位置ＡＲ，ＡＬが第１設定操作位置Ａ３になっても、右及び左のブレーキ１６，１７の制動力が発生せず、右及び左のブレーキペダル１５，１６の操作位置ＡＲ，ＡＬが第１設定操作位置Ａ３を少し越えてから、右及び左のブレーキ１６，１７の制動力が発生するような状態が生じることがある。
【００６５】
この場合、前項［５］及び［７］、図４の実線Ｃ２に示すように、右及び左のブレーキペダル１５，１６の操作位置ＡＲ，ＡＬ（操作値ＡＡ）、踏み操作解除位置Ａ１に近い側の右又は左のブレーキペダル１５，１６の操作位置ＡＲ，ＡＬ（操作値ＡＡ）が、第１設定操作位置Ａ３と第３設定操作位置Ａ５との間であれば、静油圧式無段変速装置５のトラニオン軸５ａが前進Ｆの設定低速位置Ｆ１（後進Ｒの設定低速位置Ｒ１）に保持されている。
【００６６】
これにより、右及び左のブレーキ１７，１８の制動力が発生し始める右及び左のブレーキペダル１５，１６の操作位置ＡＲ，ＡＬが変化（移動）しても、静油圧式無段変速装置５のトラニオン軸５ａが前進Ｆの設定低速位置Ｆ１（後進Ｒの設定低速位置Ｒ１）に操作された状態で、右及び左のブレーキ１６，１７の制動力が発生する状態を、確実に生じさせている。
【００６７】
［発明の実施の別形態］
前述の［発明を実施するための最良の形態］において、連係ロッド１９に代えて、ワイヤ（図示せず）（連係機構に相当）を使用してもよい。連係ロッド１９及びワイヤを廃止して、右及び左のブレーキ１７，１８を制動側に操作するアクチュエータ（図示せず）（連係機構に相当）を備え、ポテンショメータ２０の検出値に基づいて、アクチュエータにより右及び左のブレーキ１７，１８が制動側に操作されるように構成してもよい。
右及び左の前輪１、右及び左の後輪２に代えて、右及び左のクローラ走行装置（図示せず）を備え、右及び左のクローラ走行装置に右及び左のブレーキ１７，１８を備えた作業車にも、本発明は適用できる。
【図面の簡単な説明】
【００６８】
【図１】農用トラクタの全体側面図
【図２】農用トラクタの全体平面図
【図３】右及び左のブレーキペダル、右及び左のブレーキ、静油圧式無段変速装置、変速レバー及び変速ペダルの連係状態を示す図
【図４】右及び左のブレーキペダルの操作位置、静油圧式無段変速装置のトラニオン軸、右及び左のブレーキの制動力の関係を示す図
【図５】右及び左のブレーキペダルが踏み操作された際の制御の流れを示す図
【符号の説明】
【００６９】
５          走行用の無段変速装置
１５，１６  ブレーキペダル
１７，１８  走行用のブレーキ
１９        連係機構
Ｎ          停止位置
Ｆ          前進
Ｒ          後進
Ｆ１，Ｒ１  設定低速位置
【図１】
0005027596.tif 000002
【図２】
0005027596.tif 000003
【図３】
0005027596.tif 000004
【図４】
0005027596.tif 000005
【図５】
0005027596.tif 000006